(57)【要約】【課題】屋根固定型太陽光パネルの支持構造物を提供する。【解決手段】本発明は、建物の屋根の傾斜面に設けられる複数個の基礎ブラケットと、複数個の基礎ブラケットに装着される複数個のメインビームブラケットと、複数個のメインビームブラケットをそれぞれ連結するメインビームと、メインビームの上部に備えられ、太陽光を集光する複数個の太陽光パネルと、太陽光パネルをメインビームにクランピングさせるクランプ手段と、を含む屋根固定型太陽光パネルの支持構造物を提供する。したがって、傾いた建物の屋根に設けられた複数個のメインビームの上部に備えられる太陽光パネルをクランプ手段を用いて、太陽光パネルを損傷させず、簡便に固定し、太陽光パネルをメインビームの上部に固定させるクランプ手段が高さ調節が可能な可変型構造を有することによって、太陽光パネルの厚さに構わずに使われ、太陽光パネルが、上部に備えられるそれぞれのメインビームの長さを、連結ピンを用いて簡便に延長させることができる。【選択図】図１
2013221393.tif 000002
【特許請求の範囲】
【請求項１】
建物の屋根の傾斜面に設けられる複数個の基礎ブラケットと、
前記複数個の基礎ブラケットに装着される複数個のメインビームブラケットと、
前記複数個のメインビームブラケットをそれぞれ連結する複数個のメインビームと、
前記メインビームの上部に備えられ、太陽光を集光する複数個の太陽光パネルと、
前記太陽光パネルを前記メインビームにクランピングさせるクランプ手段と、
を含む屋根固定型太陽光パネルの支持構造物。
【請求項２】
2013221393.tif 000010
【請求項３】
2013221393.tif 000011
【請求項４】
前記挿入部の内側面には、前記挿入部に挿入される前記メインビームを下部で支持する支持片が対応して形成される請求項３に記載の屋根固定型太陽光パネルの支持構造物。
【請求項５】
2013221393.tif 000012
【請求項６】
前記各メインビームは、
複数個のメインビームが連結ピンによって連結されて長手方向に延び、
前記連結ピンは、前記挿入溝に挿入される請求項５に記載の屋根固定型太陽光パネルの支持構造物。
【請求項７】
前記クランプ手段は、
前記複数個のメインビームの上部に備えられる前記複数個の太陽光パネルを前記メインビームの両先端でクランピングする端部クランプと、
前記複数個のメインビームの上部に備えられる前記複数個の太陽光パネルの間でクランピングするミドルクランプと、を含む請求項１に記載の屋根固定型太陽光パネルの支持構造物。
【請求項８】
2013221393.tif 000013
【請求項９】
前記接地部と前記第１固定部との下部面には、前記メインビーム及び前記太陽光パネルとの締結力を向上させるための突起が形成される請求項８に記載の屋根固定型太陽光パネルの支持構造物。
【請求項１０】
2013221393.tif 000014
【請求項１１】
前記固定手段は、
前記端部クランプの第１固定ホールと前記ミドルクランプの第２固定ホールとを貫通する本体と前記本体の下部に備えられ、前記横フレームに挿入される係止部で構成される固定ボルトと、
前記端部クランプのクランプ本体と前記ミドルクランプの本体とを貫通した前記固定ボルトと締結される固定ナットと、を含む請求項８または１０に記載の太陽光パネルの支持構造物。
【発明の詳細な説明】
【技術分野】
【０００１】
本発明は、屋根固定型太陽光パネルの支持構造物に係り、より詳細には、建物の傾いた屋根に設けられる太陽光を集光する太陽光パネルを下部で支持しながら固定させる屋根固定型太陽光パネルの支持構造物に関する。
【背景技術】
【０００２】
特許文献１に記載の背景技術を参照すると、太陽電池（Ｓｏｌａｒ  ｃｅｌｌ）として言及される光起電性（Ｐｈｏｔｏｖｏｌｔａｉｃ）太陽光集光パネルが建物構造物の屋上や屋根に付け加えることができる。
【０００３】
太陽電池は、太陽から受けた光エネルギーを電気に変換して使うか、後で使うように保存することができて、環境汚染などを誘発する炭素発生エネルギーを代替しうる無限天然エネルギーとして脚光を浴びており、また多くの産業用建物が、太陽電池を配置することができる広くて扁平な屋上や屋根を有している。
【０００４】
しかし、従来の建物構造物の屋上や屋根に天然エネルギーを無限に生産することができる太陽光集光パネルを設置するためには、既存の屋上や屋根を解体するか、既存の屋上や屋根に別途の設置台を設置しなければならない問題点がある。
一方、最近、建物などの建築様式中に屋上や屋根を金属板で構成する場合が、実用性及びデザイン面で脚光を浴びている。
【０００５】
ところが、このような金属板で構成された屋根に対しても、太陽光集光パネルを設置するためには、機械的締結具で太陽光集光パネルを屋根に結合させることが要求される。
しかし、このような方法は、太陽光集光パネルを金属板からなる屋上や屋根に固定するには効果的であるが、設置過程で屋根に永久的に損傷を被らせるか、変形を発生させる問題点があった。
【０００６】
また、このような永久的損傷や変形は、漏水を起こし、破裂または亀裂のような他の終局的な破損の原因となる問題点があった。
【先行技術文献】
【特許文献】
【０００７】
【特許文献１】大韓民国公開特許１０−２０１１−０１００９７９号
【発明の概要】
【発明が解決しようとする課題】
【０００８】
本発明は、建物の屋根に設けられる瓦を一部除去して、複数個の基礎ブラケットを装着し、各基礎ブラケットの上部にメインビームブラケットを締結した後、複数個のメインビームブラケットにメインビームを装着し、太陽光を集光する太陽光パネルをクランプ手段を用いて、傾いた屋根の上部に設けられたメインビームの上部に固定させる屋根固定型太陽光パネルの支持構造物を提供するところにその目的がある。
【課題を解決するための手段】
【０００９】
本発明は、建物の屋根の傾斜面に設けられる複数個の基礎ブラケットと、前記複数個の基礎ブラケットに装着される複数個のメインビームブラケットと、前記複数個のメインビームブラケットをそれぞれ連結する複数個のメインビームと、前記メインビームの上部に備えられ、太陽光を集光する複数個の太陽光パネルと、前記太陽光パネルを前記メインビームにクランピングさせるクランプ手段と、を含む屋根固定型太陽光パネルの支持構造物を提供する。
【００１０】
2013221393.tif 000003
【００１１】
2013221393.tif 000004
【００１２】
2013221393.tif 000005
【００１３】
2013221393.tif 000006
【発明の効果】
【００１４】
本発明による屋根固定型太陽光パネルの支持構造物は、次のような効果を有する。
第１に、傾いた建物の屋根に設けられた複数個のメインビームの上部に備えられる太陽光パネルをクランプ手段を用いて、太陽光パネルを損傷させず、簡便に固定することができる。
【００１５】
第２に、太陽光パネルをメインビームの上部に固定させるクランプ手段が高さ調節が可能な可変型構造を有することによって、太陽光パネルの厚さに構わずに使われる。
第３に、太陽光パネルが、上部に備えられるそれぞれのメインビームの長さを、連結ピンを用いて簡便に延長させることができる。
【図面の簡単な説明】
【００１６】
【図１】本発明の一実施例による屋根固定型太陽光パネルの支持構造物が建物の屋根に設けられた状態を示す図である。
【図２】図１に示された基礎ブラケットが建物の屋根の傾斜面に設けられた状態を示す図である。
【図３】図２に示された基礎ブラケットにメインビームブラケットが装着される状態を示す図である。
【図４】基礎ブラケットにメインビームブラケットが装着された状態を示す断面図である。
【図５】図４に示されたメインビームブラケットにメインビームが装着される状態を示す図である。
【図６】メインビームブラケットにメインビームが装着された状態を示す図である。
【図７】図６に示されたメインビームに端部クランプが装着される状態を示す図である。
【図８】図６に示されたメインビームにミドルクランプが装着される状態を示す図である。
【図９】屋根の傾斜面に装着されたメインビームに端部クランプが設けられ、太陽光パネルが装着される状態を示す図である。
【図１０】図９によって装着された太陽光パネルを固定するために、メインビームにミドルクランプが装着される状態を示す図である。
【図１１】図１０によって装着されたミドルクランプの一端に太陽光パネルが装着される状態を示す図である。
【図１２】図１１によって装着された太陽光パネルを固定するために、端部クランプがメインビームに装着される状態を示す図である。
【発明を実施するための形態】
【００１７】
以下、添付した図面を参照して、本発明による望ましい実施例を詳しく説明する。これに先立って、本明細書及び特許請求の範囲に使われた用語や単語は、通常的に、または辞書的な意味として限定して解析されてはならず、発明者は、自分の発明を最も最善の方法で説明するために、用語の概念を適切に定義できるという原則に基づいて、本発明の技術的思想に符合する意味と概念として解析しなければならない。
【００１８】
したがって、本明細書に記載の実施例と図面とに示された構成は、本発明の最も望ましい一実施例に過ぎず、本発明の技術的思想をいずれも代弁するものではないので、本出願時点において、これらを代替しうる均等な変形例があり得るということを理解しなければならない。
【００１９】
以下、添付した図面を参照して、本発明による望ましい実施例を詳しく説明すれば、図１は、本発明の一実施例による屋根固定型太陽光パネルの支持構造物が建物の屋根に設けられた状態を示す図であり、図２は、図１に示された基礎ブラケットが建物の屋根の傾斜面に設けられた状態を示す図であり、図３は、図２に示された基礎ブラケットにメインビームブラケットが装着される状態を示す図であり、図４は、基礎ブラケットにメインビームブラケットが装着された状態を示す断面図である。
【００２０】
また、図５は、図４に示されたメインビームブラケットにメインビームが装着される状態を示す図であり、図６は、メインビームブラケットにメインビームが装着された状態を示す図であり、図７は、図６に示されたメインビームに端部クランプが装着される状態を示す図であり、図８は、図６に示されたメインビームにミドルクランプが装着される状態を示す図である。
【００２１】
また、図９は、屋根の傾斜面に装着されたメインビームに端部クランプが設けられ、太陽光パネルが装着される状態を示す図であり、図１０は、図９によって装着された太陽光パネルを固定するために、メインビームにミドルクランプが装着される状態を示す図であり、図１１は、図１０によって装着されたミドルクランプの一端に太陽光パネルが装着される状態を示す図であり、図１２は、図１１によって装着された太陽光パネルを固定するために、端部クランプがメインビームに装着される状態を示す図である。
【００２２】
2013221393.tif 000007
【００２３】
前記各基礎ブラケット１１０は、装着部１１１と、係止部１１２と、載置部１１３と、折曲部１１４と、結合部１１５と、を含む。前記装着部１１１には、ボルトＢが挿入される装着ホール１１１ａが形成され、瓦を取り外した建物の屋根の傾斜面に装着される。
前記装着部１１１の一端には、係止部１１２が一体に形成される。前記係止部１１２は、前記装着部１１１の一端で上部に折り曲げられ、建物の屋根の傾斜面に備えられる瓦の一面に係止されて、前記基礎ブラケット１１０を前記ボルトＢと共に二重に建物の屋根の傾斜面から滑り落ちることを防止する役割を果たす。
【００２４】
前記係止部１１２の一端には、載置部１１３が一体に形成される。前記載置部１１３は、前記係止部１１２で垂直方向に折り曲げられて、装着部１１１と同じ方向に形成され、前記装着部１１１と前記載置部１１３は、前記折曲部１１２の高さほどの差を有し、前記折曲部１１２の高さは、建物の屋根の傾斜面に備えられる瓦の厚さであり、前記載置部１１３は、建物の屋根の傾斜面に備えられる瓦の上部面に載置される。
【００２５】
前記載置部１１３の一端には、垂直方向に上部に折り曲げられた折曲部１１４が一体に形成され、前記折曲部１１４は、前記係止部１１２と同じ方向に形成される。
前記折曲部１１４の一端には、前記折曲部１１４で垂直方向に折り曲げられる結合部１１５が一体に形成され、前記結合部１１５には、ボルトＢが挿入される結合ホール１１５ａが形成される。前記結合部１１５の上部には、後述するメインビームブラケット１２０がボルトＢとナットＮとによって装着される。
【００２６】
図３ないし図５を参照すると、前記各メインビームブラケット１２０は、“Ц”字状を有し、締結部１２２と挿入部１２４とを含む。前記締結部１２２は、ボルトＢとナットＮとによって、前記基礎ブラケット１１０の結合部１１５の上部に締結され、前記締結部１２２には、ボルトＢが挿入される第１締結ホール１２２ａが形成される。
【００２７】
前記挿入部１２４は、前記締結部１２２の両端で上部に折り曲げられるように形成され、前記挿入部１２４には後述するメインビーム１３０が挿入され、前記挿入部１２４には、前記挿入部１２４に挿入されるメインビーム１３０を固定するためのボルトＢが挿入される第２締結ホール１２４ａが形成される。
【００２８】
前記締結部１２２の両端で折り曲げられて上部に突出した前記挿入部１２４の内側面には、前記挿入部１２４に挿入されるメインビーム１３０を下部で支持する支持片１２４ｂが対応して形成される。
【００２９】
2013221393.tif 000008
【００３０】
前記各メインビーム１３０には、貫通孔１３６が形成される。前記貫通孔１３６には前記メインビーム１３０を前記メインビームブラケット１２０に装着させるために利用されるボルトＢが挿入される。
【００３１】
前記各メインビーム１３０は、連結ピン（図示せず）によって連結されて長手方向に延び、前記連結ピン（図示せず）は、前記挿入溝１３２に挿入され、前記連結ピン（図示せず）は、前記挿入溝１３２と対応する形状を有することが望ましい。
【００３２】
前記複数個のメインビーム１３０の上部には、太陽光を集光する複数個の太陽光パネル１４０が備えられ、前記複数個の太陽光パネル１４０は、前記複数個のメインビーム１３０の上部にクランプ手段１５０によって固定される。前記太陽光パネル１４０は、一般的なものであって、それについての詳細な説明は省略する。
【００３３】
前記クランプ手段１５０は、前記複数個のメインビーム１３０の両先端に装着されて、前記メインビーム１３０の上部に備えられる太陽光パネル１４０を固定する端部クランプ１５１と前記メインビーム１３０の中間部位に装着されて、前記メインビーム１３０の上部に備えられる太陽光パネル１４０を固定するミドルクランプ１５５とを含む。
【００３４】
図７を参照すると、前記端部クランプ１５１は、クランプ本体１５２と固定手段１５３とで構成される。前記クランプ本体１５２には、メインビーム１３０と接地する接地部１５２ａと、太陽光パネル１４０を固定する第１固定部１５２ｂと、前記メインビーム１３０に固定するために、前記固定手段１５３が貫通する第１固定ホール１５２ｃと、が形成される。そして、前記固定手段１５３は、前記クランプ本体１５２を前記メインビーム１３０に固定させる役割を果たす。
【００３５】
前記接地部１５２ａと前記第１固定部１５２ｂとの下部面には、前記メインビーム１３０及び前記太陽光パネル１４０との締結力を向上させるための突起Ｓが形成されることが望ましい。
【００３６】
前記固定手段１５３は、固定ボルト１５３Ｂと固定ナット１５３Ｎとからなり、前記固定ボルト１５３Ｂは、前記クランプ本体１５２に形成された第１固定ホール１５２ｃを貫通する本体１５３ａと、前記本体１５３ａの下部に備えられ、前記メインビーム１３０の挿入溝１３２に挿入される係止部１５３ｂと、で構成され、前記固定ナット１５３Ｎは、前記クランプ本体１５２を貫通した前記本体１５３ａと締結される。
【００３７】
前記端部クランプ１５１によって、前記メインビーム１３０の上部に備えられる太陽光パネル１４０を固定させる方法は、次の通りである。前記メインビーム１３０の上部に太陽光を集光する太陽光パネル１４０を載置させた後、前記メインビーム１３０の挿入溝１３２に前記固定ボルト１５３Ｂの係止部１５３ｂを挿入する。前記固定ボルト１５３Ｂの本体１５３ａは、前記メインビーム１３０の係止片１３４を通じて前記メインビーム１３０の外部に露出され、作業者は、露出された前記本体１５３ａを太陽光パネル１４０を固定させるための位置に移動させる。移動した前記本体１５３ａに第１固定ホール１５２ｃが形成された前記クランプ本体１５２を挿入した後、前記クランプ本体１５２を貫通した前記本体１５３ａに、前記固定ナット１５３Ｎを締結すれば、前記クランプ本体１５２の第１固定部１５２ｂが、前記太陽光パネル１４０を上部で固定する。
【００３８】
2013221393.tif 000009
【００３９】
前記固定手段１５７は、前記端部クランプ１５１のクランプ本体１５２を前記縦ビーム１３０に固定させる固定手段１５３とその構成が同一なので、それについての詳細な説明は省略する。
【００４０】
前記ミドルクランプ１５５によって、前記メインビーム１３０の上部に載置される太陽光パネル１４０を固定させる方法は、前記端部クランプ１５１によって、前記メインビーム１３０の上部に載置された太陽光パネル１４０を固定させる方法と同一なので、それについての詳細な説明は省略する。但し、ミドルクランプ１５５の本体１５６と前記端部クランプ１５１のクランプ本体１５２は、形状及び太陽光パネル１４０を一側で固定する点と両側で固定する点とで差別化され、前記端部クランプ１５１と前記ミドルクランプ１５５は、前記固定手段１５３、１５７によって高さ調節が可能な可変型構造を有する。
【００４１】
したがって、傾いた建物の屋根に設けられた複数個のメインビーム１３０の上部に備えられる太陽光パネル１４０をクランプ手段１５０を用いて、太陽光パネル１４０を損傷させず、簡便に固定し、太陽光パネル１４０をメインビーム１３０の上部に固定させるクランプ手段１５０が高さ調節が可能な可変型構造を有することによって、太陽光パネル１４０の厚さに構わずに使われ、太陽光パネル１４０が、上部に備えられるそれぞれのメインビーム１３０の長さを、連結ピン（図示せず）を用いて簡便に延長させることができる。
本発明は、図面に示された実施例を参考にして説明されたが、これは例示的なものに過ぎず、当業者ならば、これより多様な変形及び均等な他実施例が可能であるという点を理解できるであろう。したがって、本発明の真の技術的保護範囲は、特許請求の範囲の技術的思想によって決定されるべきである。
【産業上の利用可能性】
【００４２】
本発明は、屋根固定型太陽光パネルの支持構造物関連の分野に適用可能である。c
【符号の説明】
【００４３】
１００：屋根固定型太陽光パネルの支持構造物
１１０：基礎ブラケット
１２０：メインビームブラケット
１３０：メインビーム
１４０：太陽光パネル
１５０：クランプ手段
【図１１】
2013221393.tif 000015
【図１】
2013221393.tif 000016
【図２】
2013221393.tif 000017
【図３】
2013221393.tif 000018
【図４】
2013221393.tif 000019
【図５】
2013221393.tif 000020
【図６】
2013221393.tif 000021
【図７】
2013221393.tif 000022
【図８】
2013221393.tif 000023
【図９】
2013221393.tif 000024
【図１０】
2013221393.tif 000025
【図１２】
2013221393.tif 000026